【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
棒状体の側面に固定する弾性の連結体を備える支持金具を、棒状体に取付ける支持金具用取付け工具であって、該支持金具用取付け工具は、金具保持体を備えており、金具保持体は、連結体を圧縮して保持部により保持するように構成したことを特徴とする支持金具用取付け工具。
【請求項２】
前記支持金具用取付け工具は、固定解除部を備えており、前記連結体を圧縮する方向に移動した保持部を係止するように構成した請求項１に記載の支持金具用取付け工具。
【請求項３】
前記固定解除部は、前記連結体の保持状態を前記固定解除部により解除可能に構成した請求項２に記載の支持金具用取付け工具。
【請求項４】
棒状体の側面に固定する連結体を備える支持金具を、棒状体に取付ける支持金具用取付け工具であって、該支持金具用取付け工具は、金具保持体を備えており、金具保持体は、連結体の屈曲端部を圧縮して保持する保持部と、連結体を圧縮した状態の保持部を固定すると共に、保持部の保持状態を解除する固定解除部とを備え、該固定解除部を操作すると保持状態を解除するように構成したことを特徴とする支持金具用取付け工具。
【請求項５】
前記保持部は、前記連結体の一端を載置する載置部と、係止部とを備え、前記固定解除部により前記係止部の圧縮位置を固定し又は解除するように構成し、前記固定解除部が前記係止部の圧縮を解除すると前記係止部が移動するように構成した請求項２〜４のいずれかに記載の支持金具用取付け工具。
【請求項６】
前記固定解除部は、横向きの杆体状を成して前記保持部の側面に差し込み自在に設けられ、前記連結体の一端を圧縮した位置の前記保持部の側面に差し込んで前記保持部を保持すると共に、前記固定解除部が前記保持部の側面から外れるように構成した請求項２〜４のいずれかに記載の支持金具用取付け工具。
【請求項７】
前記固定解除部は、略コ字状を成して前記金具保持体に揺動自在に設けられ、前記連結体の一端を圧縮した位置の前記保持部に重ねて固定するように構成した請求項２〜４のいずれかに記載の支持金具用取付け工具。
【請求項８】
前記支持金具用取付け工具は、操作ポールと、該操作ポールの一端に設けられた金具保持体と、遠隔操作する紐体により前記金具保持体の保持状態を解除するように構成された請求項１〜７のいずれかに記載の支持金具用取付け工具。
【請求項９】
前記支持金具の保持状態が解除されると前記支持金具の弾性の前記連結体により、棒状体に前記支持金具を取付け可能な請求項１〜８のいずれかに記載の支持金具用取付け工具。
【手続補正２】
【補正対象書類名】明細書
【補正対象項目名】全文
【補正方法】変更
【補正の内容】
【発明の詳細な説明】
【発明の名称】支持金具用取付け工具
【技術分野】
【０００１】
本発明は、例えば先行配線工事に使用するケーブル支持金具等を、吊りボルト等に安全且つ容易に取付けることができる支持金具用取付け工具に関するものである。
【背景技術】
【０００２】
例えば、オフィスビルなどで、天井が貼られる前にケーブルを敷設する先行配線工事が行われることがある。この工事では、天井から吊下げられた吊りボルトに、予め支持金具を装着し、この支持金具にケーブルを配線する作業が行われている。
【０００３】
ケーブルを配線する際の支持金具のひとつとして、例えば当出願人が先に提案したケーブル脱落防止具がある（特許文献１）。この支持金具は、吊りボルトの側面に固定する連結体と、ケーブルを支持する支持体とを備え、吊りボルトの側面にケーブルを支持する支持金具である。
【０００４】
この支持金具の連結体は、弾性を有する帯状金具の長手側面に、上下一対の切欠係止口を形成した構成を成している。そして、吊りボルトに連結体を取付ける作業は、帯状金具の長手端部を圧縮した状態で上下の切欠係止口に吊りボルトを通し、圧縮状態を解除すると、帯状金具の弾性力で復元する際に、吊りボルトに上下の切欠係止口が係止し、連結体が吊りボルトに固定状態となるものである。
【０００５】
このような取付け作業を天井に近い高所で行う場合、作業者は脚立などを使用しながら手作業で行うことになる。ところが、ケーブル配線工事には多数の吊りボルトにそれぞれ支持金具を装着するので、移動とセッティングを繰り返す作業工程となり、作業時間がかかる工事になっている。しかも、帯状金具の連結体を吊りボルトに取付ける作業は、帯状金具の長手端部を手指で強く圧縮した状態を保ちながらの作業になり、手指による大きな握力が必要なため、多数の金具を取付けるには大変な労力がかかる。特に、高所での作業のため、常に落下等の危険が伴う作業になる。
【０００６】
このような高所作業において、作業員の安全性を確保するには、脚立等を使用せず、伸縮棒などで床上からの作業ができるようにすることが必要である。従来の高所作業用取付け工具として、例えば特許文献２に記載の取着工具が提案されている。
【０００７】
特許文献２の取着工具は、二重天井等から垂設された吊りボルトに対してケーブル等を支持する支持具を固定する取着工具である。この支持具は、上下一対の抱込部を備え、この抱込部内に吊りボルトを互い違いに抱え込む構成である。そのため、支持具を吊りボルトに固定するには、取着工具に装着した支持具を吊りボルトに対して傾動させ、一対の抱込部の間に吊りボルトを配置した後支持具を垂直に戻すと、吊りボルトに支持具が固定状態になるというものである。
【先行技術文献】
【特許文献】
【０００８】
【特許文献１】特許第４４４１７６４号公報
【特許文献２】特許第５８８２６６３号公報
【発明の概要】
【発明が解決しようとする課題】
【０００９】
ケーブル等を支持する支持金具の中でも、弾性力を有する帯状金具を吊りボルトの側面に取付ける構成の支持金具は、帯状金具を圧縮する作業で簡単に装着できるので、これまで極めて多くの工事に使用された実績がある。ところが、特許文献２のごとく、上下の抱込部の内部にボルト体を固定する支持金具の取着工具は提案されていても、帯状金具を圧縮する作業で簡単に装着できる構成の支持金具を高所に取付ける工具はこれまで提案されていなかった。
【００１０】
特に、支持金具の連結体を圧縮する作業は、帯状金具の長手端部を手指で圧縮した状態を保ちながら、上下の係止口に吊りボルトを通し、手を離して圧縮状態を解除する操作になっている。このような操作は、手作業において単純な作業になるが、この一連の作業を、脚立等を使用せずに床上から行うには、帯状金具の弾性力を遠隔操作しながら吊りボルトに取り付ける必要がある。そのため、この種の支持金具を高所に取付ける工具はこれまで提案されていなかった。
【００１１】
そこで本発明は上述の課題を解消すべく創出されたもので、帯状金具等の弾性金具を圧縮して装着する構成の支持金具を遠隔操作することが可能になり、脚立等を使用せずに床上から高所の取付け作業ができる支持金具用取付け工具の提供を目的とする。
【課題を解決するための手段】
【００１２】
上述の目的を達成すべく本発明における第１の手段は、棒状体Ｑの側面に固定する弾性の連結体Ｐ１を備える支持金具Ｐを、棒状体Ｑに取付ける支持金具用取付け工具であって、該支持金具用取付け工具は、金具保持体２０を備えており、金具保持体２０は、連結体Ｐ１を圧縮して保持部２１により保持するように構成したことにある。
【００１３】
第２の手段の前記支持金具用取付け工具は、固定解除部２２を備えており、前記連結体Ｐ１を圧縮する方向に移動した保持部２１を係止するように構成している。
【００１４】
第３の手段の前記固定解除部２２は、前記連結体Ｐ１の保持状態を前記固定解除部２２により解除可能に構成したものである。
【００１５】
第４の手段は、棒状体Ｑの側面に固定する連結体Ｐ１を備える支持金具Ｐを、棒状体Ｑに取付ける支持金具用取付け工具であって、該支持金具用取付け工具は、金具保持体２０を備えており、金具保持体２０は、連結体Ｐ１の屈曲端部を圧縮して保持する保持部２１と、連結体Ｐ１を圧縮した状態の保持部２１を固定すると共に、保持部２１の保持状態を解除する固定解除部２２とを備え、該固定解除部２２を操作すると保持状態を解除するように構成している。
【００１６】
第５の手段の前記保持部２１は、前記連結体Ｐ１の一端を載置する載置部２１Ａと、係止部２１Ｂとを備え、前記固定解除部２２により前記係止部２１Ｂの圧縮位置を固定し又は解除するように構成し、前記固定解除部２２が前記係止部２１Ｂの圧縮を解除すると前記係止部２１Ｂが移動するように構成したものである。
【００１７】
第６の手段の前記固定解除部２２は、横向きの杆体状を成して前記保持部２１の側面に差し込み自在に設けられ、前記連結体Ｐ１の一端を圧縮した位置の前記保持部２１の側面に差し込んで前記保持部２１を保持すると共に、前記固定解除部２２が前記保持部２１の側面から外れるように構成している。
【００１８】
第７の手段の前記固定解除部２２は、略コ字状を成して前記金具保持体２０に揺動自在に設けられ、前記連結体Ｐ１の一端を圧縮した位置の前記保持部２１に重ねて固定するように構成したものである。
【００１９】
第８の手段の前記支持金具用取付け工具は、操作ポール１０と、該操作ポール１０の一端に設けられた金具保持体２０と、遠隔操作する紐体３０により前記金具保持体２０の保持状態を解除するように構成されている。
【００２０】
第９の手段は、前記支持金具Ｐの保持状態が解除されると前記支持金具Ｐの弾性の前記連結体Ｐ１により、棒状体Ｑに前記支持金具Ｐを取付け可能にしたものである。
【発明の効果】
【００２１】
本発明のように、固定解除部２２に連結した紐体３０を引くと保持部２１の固定状態を解除し、保持部２１の固定状態が解除されると、圧縮された連結体Ｐ１の弾性力で復元する際に、棒状体に支持金具Ｐが固定されることにより、弾性金具を圧縮する構成の支持金具を遠隔操作することが可能になった、この結果、圧縮する作業で簡単に装着できる構成の支持金具を、脚立等を使用せずに床上から高所への取付け作業が簡単にできるようになった。
【００２２】
また、固定解除部２２に連結した紐体３０を引くと、保持部２１の圧縮状態が解除され、連結体Ｐ１の弾性力で保持部２１をスライド移動させながら復元する際に、連結体Ｐ１の切欠係止口Ｐ３に通した棒状体Ｑ側面に支持金具Ｐを固定するので、帯状金具を圧縮する構成の支持金具を遠隔操作することが可能になった、この結果、圧縮する作業で簡単に装着できる構成の支持金具を、脚立等を使用せずに床上から高所への取付け作業が簡単にできるようになった。
【００２３】
更に、固定解除部２２が係止部２１Ｂの圧縮位置を固定又は解除し、固定解除部２２が係止部２１Ｂの圧縮位置を解除すると、連結体Ｐ１の弾性力にて係止部２１Ｂが上方にスライド移動するので、支持金具Ｐの切欠係止口Ｐ３に棒状体Ｑを通すまで、保持部２１内の連結体Ｐ１を圧縮したまま操作することができる。この結果、帯状金具を圧縮する作業で装着する構成の支持金具Ｐを、素手で保持し続ける必要がないため、指を痛めることなく、連続して取付けることが容易にできる。また、高所の棒状体Ｑへ取付けることが可能になった。
【００２４】
そして、紐体３０の遠隔操作で固定解除部２２が係止部２１Ｂから簡単に外れるので、支持金具Ｐの切欠係止口Ｐ３に棒状体Ｑを通した後、支持金具Ｐの圧縮状態を簡単に解除することができる。したがって、脚立等を使用せずに床上から高所の棒状体Ｑに支持金具Ｐを簡単に固定することが可能になる。
【図面の簡単な説明】
【００２５】
【図１】本発明の一実施例を示す側面図である。
【図２】本発明の金具保持体の一実施例を示す斜視図である。
【図３】本発明の金具保持体に連結体を装着する状態を示す側断面図である。
【図４】本発明の金具保持体に連結体を固定した状態を示す側断面図である。
【図５】本発明の金具保持体に支持金具を装着する側面図である。
【図６】本発明の金具保持体に支持金具を固定した側面図である。
【図７】固定した支持金具の切欠係止口に吊りボルトを入れた側面図である。
【図８】本発明の金具保持体を支持金具から解除した側面図である。
【図９】吊りボルトに連結体を固定した側面図である。
【図１０】本発明の紐体の収納状態を示す斜視図である。
【図１１】本発明の他の実施例の解除部を示し、保持部を固定した側面図である。
【図１２】図１１に示す解除部で保持部を解除した側面図である。
【図１３】本発明の金具保持体でケーブルを持ち上げる状態を示す側面図である。
【図１４】本発明の金具保持体でケーブルを整える状態を示す側面図である。
【発明を実施するための形態】
【００２６】
本発明取付け工具は、高所の棒状体Ｑなどの線材側面に、ケーブルや配管を支持する支持金具Ｐを取付ける際に使用する取付け工具である。
【００２７】
本発明取付け工具で操作する支持金具Ｐは、弾性金具を圧縮する作業で簡単に装着できる構成の支持金具Ｐを対象とする。例えば、棒状体Ｑの側面に固定する帯状金具の連結体Ｐ１とケーブルＲ又は配管を支持する支持体Ｐ２とを備えている。また、棒状体の両側面から弾性金具の弾性力で挟着する支持金具でもよい。このとき、棒状体Ｑは、吊りボルトや金属線材など、支持金具Ｐを固定する直線状の部材から任意に選択できるものである。
【００２８】
図示の弾性金具は、帯状金具の連結体Ｐ１を有するものである。そして、連結体Ｐ１の長手側面に形成された上下一対の切欠係止口Ｐ３に棒状体Ｑを通すと連結体Ｐ１の弾性力で連結体Ｐ１が棒状体Ｑに固定状態となる支持金具Ｐである（図９参照）。
【００２９】
このような支持金具Ｐを取付ける本発明取付け工具の主要構成は、操作ポール１０、金具保持体２０、紐体３０を備えた構成である（図１参照）。
【００３０】
操作ポール１０は、伸縮自在な杆体の上端部に固定ねじ部１１を設けた杆状部材で、この固定ねじ部１１に金具保持体２０を着脱自在に連結するものである（図２参照）。尚、操作ポール１０と金具保持体２０は、予め固定されていても良い。図示例では、この操作ポール１０に、遠隔操作用の紐体３０を装着している（図１参照）。すなわち、この紐体３０の一端部に、後述する固定解除部２２に連結する連結フック３１を備えると共に、他端部をリング状のホルダー３２に巻き付けている（図１０参照）。
【００３１】
このホルダー３２には、挟着部３２Ａが設けられており、操作ポール１０の側面をこの挟着部３２Ａにて挟み込んでスライド自在に装着したものである。そして、操作の際は、操作ポール１０に装着しているホルダー３２を指で操作することで、紐体３０の遠隔操作を可能にしている。尚、紐体３０は、ロープやワイヤーなどを使用する他、細い棒状物を代用することも可能である。
【００３２】
金具保持体２０は、保持部２１と固定解除部２２とを備えた部材である（図２参照）。保持部２１は、金具保持体２０に上下スライド自在に設けられ、連結体Ｐ１の上下端部を保持する部位になっている。
【００３３】
図示の保持部２１は、載置部２１Ａと係止部２１Ｂとで構成している（図３参照）。載置部２１Ａは、連結体Ｐ１の下端部を載置する部位で、金具保持体２０の側面に形成している。一方、係止部２１Ｂは、突起状の固定部２１Ｃに上下移動自在に軸支された部位で、載置部２１Ａの上部でスライドする略Ｌ字状の部位である。そして、載置部２１Ａに載せた連結体Ｐ１の上端部に係止部２１Ｂを当て、そのまま連結体Ｐ１を圧縮する方向にスライド移動させるものである（図４参照）。
【００３４】
更に保持部２１は、操作ポール１０に連結する位置よりも側面方向に突出した位置に形成している（図２参照）。この位置に保持部２１を形成することで、支持金具Ｐを棒状体Ｑに取付ける際に、例えば棒状体Ｑがチャンネル材を懸吊している場合でも、このチャンネル材を回避しながら取付けることが可能になる。また、他の障害物が近くにあっても回避可能になり、支持金具Ｐの遠隔操作を容易にすることができる。
【００３５】
また保持部２１の近傍には、保持した支持金具Ｐを棒状体Ｑに装着する際に使用するガイド２３が設けられている。図示のガイド２３は、保持部２１の片側に突設された略板状を成している（図２参照）。そして、保持部２１に支持金具Ｐを保持した状態で、このガイド２３に当てた棒状体Ｑが支持金具Ｐに近付くように金具保持体２０を操作すると、支持金具Ｐの切欠係止口Ｐ３内に棒状体Ｑが容易に導入されるものである（図７参照）。尚、このガイド２３は保持部２１の両側に設けてもよい。
【００３６】
固定解除部２２は、連結体Ｐ１を圧縮した状態の保持部２１の位置を固定する部材である（図４参照）。また、この固定解除部２２は、固定した保持部２１の位置を解除する部材でもある（図３参照）。すなわち、固定解除部２２に連結した紐体３０を引くと、固定解除部２２が圧縮状態で固定している保持部２１の位置がずれて圧縮状態が解除されるように構成している。
（保持部２１は、請求項の表現に合わせています。尚、係止部２１Ｂは、００３２で説明しています。）
【００３７】
このように、保持部２１の固定位置が解除されると、連結体Ｐ１の弾性力で保持部２１を上方にスライドさせながら連結体Ｐ１が復元する際に、連結体Ｐ１の切欠係止口Ｐ３に通した棒状体Ｑに支持金具Ｐが固定されるものである（図９参照）。
【００３８】
図示の固定解除部２２は、連結体Ｐ１の上端部を圧縮した位置の係止部２１Ｂの上部に重ねて固定する固定体２２Ａと、この固定体２２Ａを金具保持体２０に揺動自在に連結する連結体２２Ｂとを備えている（図２参照）。
【００３９】
固定体２２Ａは、揺動する方向に伸びた複数条の突起で形成されている（図２参照）。そして、固定体２２Ａが係止部２１Ｂ上まで揺動すると、連結体Ｐ１の圧縮状態の位置で押えて連結体Ｐ１を固定するものである（図４参照）。このとき、固定体２２Ａを係止部２１Ｂ上まで揺動させるには、作業者の手で行われる。また、図示していないが、この固定体２２Ａを係止部２１Ｂ方向に向けて常に押圧付勢するバネ材を固定解除部２２に装着することで、係止部２１Ｂを押し下げた際に、固定体２２Ａが自動的に係止部２１Ｂ上まで揺動するように構成することも可能である。更に、図示の固定体２２Ａには、係止部２２Ｄを設けている。この係止部２２Ｄは、係止部２１Ｂを固定したときに、この係止部２１Ｂの上面に凹設した係止部２１Ｄに係止する突起状の部位である。
【００４０】
固定解除部２２の連結体２２Ｂは、固定体２２Ａと一体に設けられ、金具保持体２０に設けた揺動軸２２Ｃで揺動自在に連結された部位である（図２参照）。図示例では、固定体２２Ａと連結体２２Ｂとで略倒コ字状を成した固定解除部２２を形成している。そして、紐体３０の遠隔操作で固定解除部２２が揺動すると、係止部２１Ｂの上部から固定体２２Ａが外れるように構成したものである（図３参照）。
【００４１】
更に、図示していないが、金具保持体２０の向きを横向きにして、保持部２１に装着した連結体Ｐ１を左右から挟み込むように構成すると、棒状体の両側面から弾性金具の弾性力で挟着するタイプの支持金具を操作することも可能になる。
【００４２】
次に、図５乃至図９に基づいて本発明取付け工具の使用手順を説明する。図５に示すように、保持部２１に支持金具Ｐを装着する。すなわち、載置部２１Ａに連結体Ｐ１の下端部を載置し、上端部を係止部２１Ｂの下に配置するように装着する。
【００４３】
図６に示すように、係止部２１Ｂを下向きに押圧して連結体Ｐ１を圧縮しながら、係止部２１Ｂの上に固定体２２Ａを被せて固定する。この状態では、連結体Ｐ１が圧縮された状態のままで保持部２１に保持されている。
【００４４】
更に、図７に示すように、保持部２１に保持した連結体Ｐ１の切欠係止口Ｐ３に、棒状体Ｑを通す。この状態ではまだ連結体Ｐ１が圧縮された状態を保っている。
【００４５】
そして、図８に示す如く、紐体３０を遠隔操作で引くと、固定解除部２２が揺動して係止部２１Ｂの上端から固定体２２Ａが移動する。そうすると、圧縮状態の連結体Ｐ１は、自身の弾性力で係止部２１Ｂを押し上げながら圧縮前の状態に復元することになる。
【００４６】
最後に、図９に示す如く、連結体Ｐ１の復元時の弾性力にて切欠係止口Ｐ３内に挿入していた棒状体Ｑに支持金具Ｐが固定されるものである。
【００４７】
図１１及び図１２は、固定解除部２２の他の実施例を示している。すなわち、この固定解除部２２は、係止部２１Ｂの側面に形成した貫通口２１Ｅに差し込む横向きの固定杆２２Ｅを形成したものである。このとき、係止部２１Ｂには、固定杆２２Ｅを挿入する貫通口２１Ｅを貫通形成している。そして、連結体Ｐ１の上端部を圧縮した係止部２１Ｂの貫通口２１Ｅに、固定杆２２Ｅを差し込んで、この係止部２１Ｂを固定するものである（図１１参照）。また、図示していないが、この固定解除部２２を貫通口２１Ｅに向けて常に押圧付勢するバネ材を装着することで、係止部２１Ｂを押し下げることで貫通口２１Ｅに自動的に固定杆２２Ｅが差し込まれるようにすることも可能である。
【００４８】
係止部２１Ｂの固定を解除するには、紐体３０の遠隔操作で固定解除部２２を引くと、貫通口２１Ｅから固定杆２２Ｅが抜き取られる（図１２参照）。そうすると、圧縮状態の連結体Ｐ１の弾性力で元の形状の連結体Ｐ１に復帰するものである。
【００４９】
図１３及び図１４は、金具保持体２０の他の使用例を示している。すなわち、この金具保持体２０には、ケーブルＲを操作する操作体４０を設けている。この操作体４０は、更に上部係止部４１と下部係止部４２を備えている。
【００５０】
上部係止部４１は、金具保持体２０から上方に突出した突起状を成し、ケーブルＲを持ち上げて支持金具Ｐの支持体Ｐ２に係止する際に使用する（図１３参照）。一方、下部係止部４２は、金具保持体２０から下方に突出した突起状を成し、支持体Ｐ２に係止したケーブルＲを整える際に使用するものである（図１４参照）。
【００５１】
尚、本発明の操作ポール１０、金具保持体２０、紐体３０の構成、更には保持部２１、固定解除部２２等の構成は図示例に限定されるものではない。また、本発明の取付け対象とする支持金具Ｐはケーブル支持用に限らず、配管支持用の支持金具Ｐも含むもので、支持体Ｐ２の形状は任意に変更することができる。このように本発明の要旨を変更しない範囲での設計変更は自由である。
【符号の説明】
【００５２】
Ｐ  支持金具
Ｐ１  連結体
Ｐ２  支持体
Ｑ  棒状体
Ｒ  ケーブル
１０  操作ポール
１１  固定ねじ部
２０  金具保持体
２１  保持部
２１Ａ  載置部
２１Ｂ  係止部
２１Ｃ  固定部
２１Ｄ  係止部
２１Ｅ  貫通口
２２  固定解除部
２２Ａ  固定体
２２Ｂ  連結体
２２Ｃ  揺動軸
２２Ｄ  係止部
２２Ｅ  固定杆
２３  ガイド
３０  紐体
３１  連結フック
３２  ホルダー
３２Ａ  挟着部
４０  操作体
４１  上部係止部
４２  下部係止部